(57)【要約】【課題】  ビデオゲームパッド用のテンションアナログスティックの抵抗を調整することができる調整可能なテンションアナログスティックに関する。【解決手段】  装置およびビデオゲームパッドの使い易さおよびコントロールを高めるためにユーザが装置のテンションを調整することができる、ビデオゲームパッド用の調整可能なコントロール装置。コントロール装置のアセンブリは、ハウジング内に入れ子状に配置されている位置決め部材すなわちスティックを含む。アセンブリはまた、スティックとハウジングとの間に組みつけられたクラッチ部材とテンション部材とを含む。位置決め部材とハウジングはＣリングなどのサポート部材を使用して接続または共に保持されている。Ｃリングはスティックの軸上の溝に嵌合している。柔軟性部材はスティックとハウジングとの間に配置されている。さらに、信号転送部材がＰＣ基板などの回路基板に接続または組み付けられて、コントロール装置からの電気信号などを回路基板に転送する。【選択図】    図２Ｃ
0003115760.tif 000002
【実用新案登録請求の範囲】
【請求項１】
第１のハウジングと、
前記第１のハウジングに移動可能に接続されている第２のハウジングと、
前記第２のハウジングに配置されている位置決め部材と、
前記位置決め部材に隣接して配置されており、前記位置決め部材に多量のテンションを提供するテンション部材と、
ユーザが前記テンション部材のテンションを調整することができるように構成されている少なくとも１つの調整部材と、を備えているコントロール装置。
【請求項２】
前記テンション部材はスプリングを含む、請求項１に記載のコントロール装置。
【請求項３】
前記調整部材はクラッチ部材を含む、請求項１に記載のコントロール装置。
【請求項４】
前記クラッチ部材はクラッチディスクを含む、請求項３に記載のコントロール装置。
【請求項５】
前記第２のハウジングは少なくとも１つのセレーションを含む、請求項１に記載のコントロール装置。
【請求項６】
前記第２のハウジングと位置決め部材を共に保持するための、前記第２のハウジングと前記位置決め部材に取り付けられているサポート部材を含む、請求項１に記載のコントロール装置。
【請求項７】
前記サポート部材は少なくとも１つのＣリングを含む、請求項６に記載のコントロール装置。
【請求項８】
前記第２のハウジングに移動可能に取り付けられている柔軟性部材を含む、請求項１に記載のコントロール装置。
【請求項９】
前記柔軟性部材はゴムリングを含む、請求項８に記載のコントロール装置。
【請求項１０】
少なくとも１つのコントロール部材と、
各コントロール部材に接続されており、ユーザが各コントロール部材のテンションを調整することができるテンション部材と、
各コントロール部材に接続されている信号転送部材と、を備えているビデオゲームコントローラ用のコントロールアセンブリであって、
前記信号転送部材はビデオゲームシステムのプロセッサと連通しており、
前記ユーザは、前記少なくとも１つのコントロール部材のテンションを変更するために前記少なくとも１つのコントロール部材の前記テンション部材を調整し、前記少なくとも１つのコントロール部材を移動させ、前記信号転送部材に信号を生成させて、前記ビデオゲームシステムの前記プロセッサに送信させて、前記ビデオゲームシステムと関連する画像の動きを操作するコントロールアセンブリ。
【請求項１１】
前記テンション部材はスプリングを含む、請求項１０に記載のコントロールアセンブリ。
【請求項１２】
前記テンション部材は、ユーザが前記テンション部材のテンションを調整するために前記調整部材を移動させることができる調整部材を含む、請求項１０に記載のコントロールアセンブリ。
【請求項１３】
前記調整部材はクラッチ部材を含む、請求項１２に記載のコントロールアセンブリ。
【請求項１４】
（ａ）位置決め部材と、前記位置決め部材に接続されているテンション部材とを含む少なくとも１つのコントロール装置を提供することと、
（ｂ）以下のうちの少なくとも１つを実行することによって前記コントロール装置のテンションを調整することと：
（ｉ）前記テンション部材のテンションを増大させるために、前記位置決め部材を第１の方向に移動させることによって前記コントロール装置のテンションを増大させること；
（ｉｉ）前記テンション部材のテンションを縮小させるために、前記位置決め部材を第２の方向に移動させることによって前記コントロール装置のテンションを縮小させること、
（ｃ）前記コントロール装置のテンションがユーザの所望のテンションと等しくなるまで（ｂ）を反復すること、とを備えているゲームコントローラ操作方法。
【請求項１５】
前記テンション部材はスプリングを含む、請求項１４に記載の方法。
【考案の詳細な説明】
【技術分野】
【０００１】
本出願は２００３年１１月１４日に出願された、米国仮特許出願番号第６０／５２０，１１９号の発明に基づくものであり、ゲームコントローラやビデオゲームパッドに関する。
【背景技術】
【０００２】
ビデオゲーム産業において、ビデオゲーム用の複数の様々なタイプのゲームコントローラやビデオゲームパッドがある。ビデオゲームプレーヤはビデオゲームパッドを使用してビデオゲームの様々な機能やオペレーションをコントロールし操作する。ビデオゲームパッドは一般的に、様々なコントロールや、これらの操作をコントロールするボタン、トリガ、またはテンションアナログスティックなどの入力デバイスを含む。
【０００３】
ビデオゲームパッド用の既存のアナログスティックの「感触（ｆｅｅｌ）」は、スティックおよびパッドアセンブリの設計によって設定されている。とりわけ、スティックの抵抗は、スティックを操作およびコントロールしやすいか否かを決定する。抵抗のレベルはまた、ビデオゲームをしながらスティックを使用するプレーヤの使い易さの度合いに影響する。
【０００４】
既知のアナログスティックでは、プレーヤはスティックの横方向の抵抗のレベルをコントロールすることができない。従って、ビデオゲームパッドの特定のアナログスティックを使用するプレーヤの使い易さおよびコントロールのレベルは、製造者によって設定されている抵抗によって決定される。抵抗が非常に大きいためにアナログスティックの使用に満足できず、または操作が難しい場合、プレーヤのビデオゲームをする楽しみの度合いは低下する。さらに、プレーヤはビデオゲームパッドを、そのビデオゲームパッドが売られていた店舗に返品し、かつ／またはプレーヤにより使いやすい新たなビデオゲームパッドを購入しなければならないであろうし、いずれにしてもプレーヤにはコストおよび時間の無駄である。
【０００５】
従って、プレーヤがスティックの抵抗量を選択でき、かつプレーヤにとってビデオゲームパッドの使い易さおよびコントロールを高めることができるように調整可能なビデオゲームパッド用のアナログスティックの必要性がある。
【考案の開示】
【考案が解決しようとする課題】
【０００６】
本考案は一般的にビデオゲームパッド用のコントロール装置に関し、具体的には、プレーヤがビデオゲームなどのゲームをしながらスティックの使い易さおよびコントロールを高めるためにテンションアナログスティックの抵抗を調整することができる調整可能なテンションアナログスティックに関する。
【課題を解決するための手段】
【０００７】
一実施形態において、プレーヤなどのユーザが、装置およびゲームパッドの使い易さおよびコントロールを高めるためにコントロール装置のテンションを調整することができるビデオゲームデバイス用の調整可能なコントロール装置が提供されている。コントロール装置は第１のハウジングを含む。第２のハウジングは該第１のハウジングに移動可能に接続されている。位置決め部材は該第２のハウジングに配置されており、該位置決め部材によってプレーヤは該コントロール装置を様々な位置に移動させることができる。該位置決め部材に隣接して配置されているスプリングなどのテンション部材は該位置決め部材にテンションすなわち抵抗を提供する。さらに、該コントロール装置は、ユーザが該テンション部材のテンションを調整することによって、該コントロール装置の該位置決め部材の抵抗を調整することができるように構成されている調整部材を含む。
【考案の効果】
【０００８】
従って、本考案の利点は、ユーザがコントロール装置の使い易さおよび抵抗をカスタマイズすることができるビデオゲームパッド用の調整可能なコントロール装置を提供することである。
【０００９】
本考案の更なる特徴および利点は以下の考案の詳細な説明および図面において説明されており、これらによって明らかである。
【考案を実施するための最良の形態】
【００１０】
本考案は一般的にビデオゲームパッド用のコントロール装置に関し、具体的には、プレーヤなどのユーザがスティックの使い易さおよびコントロールを高めるためにテンションアナログスティックの抵抗を調整することができるゲームコントローラすなわちビデオゲームパッド１００用の調整可能なテンションアナログスティックに関する。
【００１１】
図１Ａ〜１４Ｃを参照すると、一実施形態において、コントロール装置すなわち調整可能なテンションを調整可能としたアナログスティックの１０２は第１のハウジング１０４（図１Ｂ）と、第１のハウジング１０４に移動可能に接続されている第２のハウジング１０６（図４Ａ）と、プレーヤがコントロール装置の位置を変更することができるように第２のハウジング１０６に接続または搭載されている位置決め部材１０８と、抵抗すなわちテンションを位置決め部材１０８に提供するために位置決め部材１０８に隣接して配置されているスプリング１１０などのテンション部材と、プレーヤが位置決め部材１０８の抵抗を変更するために位置決め部材１０８のテンション部材のテンションを調整（すなわち増大または縮小）することができる、テンション部材に接続されている調整部材１１２と、を含む。
【００１２】
一実施形態において、アナログスティック（コントロール装置）１０２の横方向の抵抗は、図示されているように、ユーザすなわちプレーヤが、スティックの回復に影響を与えることなくアナログスティックのテンションすなわち抵抗を増大および／または縮小させることができる複数のパーツの組み合わせによって達成される。上記のとおり、アセンブリの最上部は、第２のハウジングすなわちドーム１０６内部に入れ子状にされている位置決め部材すなわちスティック１０８である。クラッチディスク１１４などのクラッチ部材と、スプリング１１０などのテンション部材はスティック１０８とドーム１０６との間に組み付けられている。スティック１０８およびドーム１０６はサポート部材すなわちＣリング１１６を介して接続または共に保持されている。Ｃリング１１６はスティック１０８の軸上の溝１１８に嵌合または組み付けられている。柔軟性部材すなわちゴムリング１２０は、ドーム１０６と、ＰＣ基板やＰＣＢ（図示せず）などの回路基板に接続または組み付けられている信号転送部材１２４との間に配置すなわち捕捉されている。
【００１３】
第２のハウジングすなわちドーム１０６の上部の周辺は、ユーザがアナログスティック１０２の抵抗を変更するために握ったり捻ったりすることができるセレーション１２２を含む。スティック１０８、従って第２のハウジングすなわちドーム１０６が回転すると、スティック１０８とねじ合わされる軸内部のねじ山を介して第１のハウジング１０４に対して近づいたり遠ざかったりする。ドーム１０６が第１のハウジング１０４に対して下方に移動すると、ゴムリング１２０はスティック１０８と第１のハウジング１０４との間に圧縮され、その結果スティック１０８を回動するための抵抗力を増大させる。スティック１０８と第２のハウジングすなわちドーム１０６が第１のハウジング１０４に対して上方に移動すると、ゴムリング１２０への圧力が減少し、力を低下させる。従って、スティック１０８の緊張度は抵抗量を決定し、それによってユーザはスティック１０８の所望の感触、使い易さおよびコントロールを選択することによって緊張度すなわちテンションを調整することができる。
【００１４】
一実施形態において、クラッチ部材すなわちクラッチディスク１１４は、ゲームが使用されている間ドーム１０６を選択した位置に保持するための戻り止めとして作用する。
【００１５】
一実施形態において、テンション部材は、スティック１０８にテンションすなわち抵抗を提供するためのスプリング１１０である。一実施形態において、テンション部材すなわちスプリング１１０は、スティック１０８に隣接して、かつ第２のハウジングすなわちドーム１０６内部に入れ子状にされるか、または配置されている。別の実施形態において、テンション部材はスティック１０８に接続または取り付けられている。テンション部材はスプリング、弾性フォーム、または他の適切なテンションデバイスや弾性部材であってもよいことが理解されるべきである。
【００１６】
一実施形態において、Ｃリング１１６はスティック１０８とドーム１０６を共に保持している。コントロール装置は１つ以上のＣリング１１６を含んでいてもよいことが理解されるべきである。また、Ｃリング１１６は、Ｃリング１１６がスティック１０８とドーム１０６を接続または共に保持することを可能にするスティック１０８の任意の適切な部分に配置および／または接続されてもよいことが理解されるべきである。さらに、任意の適切なコネクタや固定部材を使用してスティック１０８とドーム１０６を接続することができる点も理解されるべきである。
【００１７】
一実施形態において、柔軟性部材はゴムリング１２０である。柔軟性部材はゴムリング、フランジ、または他の適切な柔軟性すなわち弾性部材であってもよいことが理解されるべきである。また１つ以上のゴムリングがコントロール装置に用いられてもよいことが理解されるべきである。
【００１８】
一実施形態において、信号転送部材１２４はＰＣ基板やＰＣＢなどの回路基板に接続されている。信号転送部材１２４は、スティックの動きによって生成された電気信号などの信号を回路基板に転送することによって、ビデオゲームデバイスによって操作されているゲームと関連する画像、アイコンまたはキャラクタなどの動きをコントロールおよび／または操作する。
【００１９】
上記のコントロール装置のコンポーネントやパーツは、金属、プラスチック、あるいは任意の他の適切な材料や材料の組み合わせによって製造可能であることが理解されるべきである。
【００２０】
ここに説明されている好ましい実施形態に対する種々の変更および修正が当業者にとって明らかであることが理解されるべきである。このような変更および修正は本考案の主旨および範囲から逸脱することなく、かつその意図する利点を損なうことなくなされることが可能である。従って、このような変更および修正は添付の請求項によってカバーされることが意図されている。
【図面の簡単な説明】
【００２１】
【図１Ａ】本発明の少なくとも１つのコントロール装置を含むビデオゲームパッドの一実施形態の斜視図である。
【図１Ｂ】本発明のコントロール装置の一実施形態の斜視図である。
【図２Ａ】図１に示されているコントロール装置の実施形態の正面図である。
【図２Ｂ】図２Ａに示されているコントロール装置の実施形態の側面図である。
【図２Ｃ】図２Ａに示されているコントロール装置の実施形態の線Ａ−Ａに沿った断面図である。
【図２Ｄ】図２Ａに示されているコントロール装置の実施形態の平面図である。
【図２Ｅ】図２Ａに示されているコントロール装置の実施形態の底面図である。
【図３】コントロール装置の第２のハウジングの一実施形態の斜視図である。
【図４Ａ】図３に示されている第２のハウジングの実施形態の正面図である。
【図４Ｂ】図４Ａに示されている第２のハウジングの実施形態の左側面図である。
【図４Ｃ】図４Ａに示されている第２のハウジングの実施形態の右側面図である。
【図５Ａ】図４Ａに示されている第２のハウジングの実施形態の平面図である。
【図５Ｂ】図４Ａに示されている第２のハウジングの実施形態の底面図である。
【図６】コントロール装置の位置決め部材の一実施形態の側面斜視図である。
【図７Ａ】図６に示されている位置決め部材の実施形態の正面図である。
【図７Ｂ】図７Ａに示されている位置決め部材の実施形態の左側面図である。
【図７Ｃ】図７Ａに示されている位置決め部材の実施形態の右側面図である。
【図８Ａ】図７Ａに示されている位置決め部材の実施形態の平面図である。
【図８Ｂ】図７Ａに示されている位置決め部材の実施形態の底面図である。
【図９】コントロール装置の柔軟性部材の一実施形態の斜視図である。
【図１０Ａ】図９に示されている柔軟性部材の実施形態の平面図である。
【図１０Ｂ】図１０Ａに示されている柔軟性部材の線Ａ−Ａに沿った断面図である。
【図１０Ｃ】図９の柔軟性部材の実施形態の底面図である。
【図１１】コントロール装置のクラッチ部材の一実施形態の側面斜視図である。
【図１２Ａ】図１１に示されているクラッチ部材の正面図である。
【図１２Ｂ】図１２Ａに示されているクラッチ部材の左側面図である。
【図１２Ｃ】図１２Ａに示されているクラッチ部材の右側面図である。
【図１２Ｄ】図１２Ａに示されているクラッチ部材の平面図である。
【図１２Ｅ】図１２Ａに示されているクラッチ部材の底面図である。
【図１３Ａ】コントロール装置のサポート部材の一実施形態の正面図である。
【図１３Ｂ】図１３Ａに示されているサポート部材の側面図である。
【図１４Ａ】コントロール装置のテンション部材の一実施形態の正面図である。
【図１４Ｂ】図１４Ａに示されているテンション部材の部分平面図である。
【図１４Ｃ】図１４Ａに示されているテンション部材の部分底面図である。
【符号の説明】
【００２２】
１００    コントロール装置（ビデオゲームパッド）
１０２    アナログスティック（コントロール装置）
１０４    第１のハウジング
１０６    第２のハウジング（ドーム）
１０８    位置決め部材（スティック）
１１０    スプリング
１１２    調整部材
１１４    クラッチディスク
１１６    サポート部材（Ｃリング）
１１８    溝
１２０    柔軟性部材（ゴムリング）
１２２    セレーション
１２４    信号転送部材
【図１Ａ】
0003115760.tif 000003
【図１Ｂ】
0003115760.tif 000004
【図２Ａ】
0003115760.tif 000005
【図２Ｂ】
0003115760.tif 000006
【図２Ｃ】
0003115760.tif 000007
【図２Ｄ】
0003115760.tif 000008
【図２Ｅ】
0003115760.tif 000009
【図３】
0003115760.tif 000010
【図４Ａ】
0003115760.tif 000011
【図４Ｂ】
0003115760.tif 000012
【図４Ｃ】
0003115760.tif 000013
【図５Ａ】
0003115760.tif 000014
【図５Ｂ】
0003115760.tif 000015
【図６】
0003115760.tif 000016
【図７Ａ】
0003115760.tif 000017
【図７Ｂ】
0003115760.tif 000018
【図７Ｃ】
0003115760.tif 000019
【図８Ａ】
0003115760.tif 000020
【図８Ｂ】
0003115760.tif 000021
【図９】
0003115760.tif 000022
【図１０Ａ】
0003115760.tif 000023
【図１０Ｂ】
0003115760.tif 000024
【図１０Ｃ】
0003115760.tif 000025
【図１１】
0003115760.tif 000026
【図１２Ａ】
0003115760.tif 000027
【図１２Ｂ】
0003115760.tif 000028
【図１２Ｃ】
0003115760.tif 000029
【図１２Ｄ】
0003115760.tif 000030
【図１２Ｅ】
0003115760.tif 000031
【図１３Ａ】
0003115760.tif 000032
【図１３Ｂ】
0003115760.tif 000033
【図１４Ａ】
0003115760.tif 000034
【図１４Ｂ】
0003115760.tif 000035
【図１４Ｃ】
0003115760.tif 000036
【手続補正書】
【提出日】平成17年8月30日(2005.8.30)
【手続補正１】
【補正対象書類名】実用新案登録請求の範囲
【補正対象項目名】全文
【補正方法】変更
【補正の内容】
【実用新案登録請求の範囲】
【請求項１】
第１のハウジングと、
前記第１のハウジングに移動可能に接続されている第２のハウジングと、
前記第２のハウジングに配置されている位置決め部材と、
前記位置決め部材に隣接して配置されており、前記位置決め部材に多量のテンションを提供するテンション部材と、
ユーザが前記テンション部材のテンションを調整することができるように構成されている少なくとも１つの調整部材と、を備えているコントロール装置。
【請求項２】
前記テンション部材はスプリングを含む、請求項１に記載のコントロール装置。
【請求項３】
前記調整部材はクラッチ部材を含む、請求項１に記載のコントロール装置。
【請求項４】
前記クラッチ部材はクラッチディスクを含む、請求項３に記載のコントロール装置。
【請求項５】
前記第２のハウジングは少なくとも１つのセレーションを含む、請求項１に記載のコントロール装置。
【請求項６】
前記第２のハウジングと位置決め部材を共に保持するための、前記第２のハウジングと前記位置決め部材に取り付けられているサポート部材を含む、請求項１に記載のコントロール装置。
【請求項７】
前記サポート部材は少なくとも１つのＣリングを含む、請求項６に記載のコントロール装置。
【請求項８】
前記第２のハウジングに移動可能に取り付けられている柔軟性部材を含む、請求項１に記載のコントロール装置。
【請求項９】
前記柔軟性部材はゴムリングを含む、請求項８に記載のコントロール装置。